(57)【要約】      （修正有）【課題】表示装置の共通の表示パネルを使用し、表示パネルの上下長さや横幅の異なる表示面を形成できることが可能な表示装置を提供せんとする。【解決手段】支持枠に表示パネル本体１を着脱可能に当着して表示面を構成する表示装置において、長方形の表示パネル本体１の裏面２に、支持枠の両縦枠と等しい幅間隔で長辺方向と短辺方向の縦横位置に各縦枠に係合する溝条２Ａ、２Ｂを備える。【選択図】図１
0003221269.tif 000002
【実用新案登録請求の範囲】
【請求項１】
支持枠に表示パネル本体を着脱可能に当着して表示面を構成する表示装置において、長方形の表示パネル本体の裏面に、支持枠の両縦枠と等しい幅間隔で長辺方向と短辺方向の縦横位置に各縦枠に係合する溝条を備えたことを特徴とする表示装置。
【請求項２】
溝条が表示パネル本体の上下端及び左右端にまで延伸して形成されていることを特徴とする請求項１に記載の表示装置。
【請求項３】
溝条の外側壁面で支持枠の縦枠を挟持する恰好で係合していることを特徴とする請求項１又は２に記載の表示装置。
【請求項４】
表示パネル本体の表面に表示シートを着脱可能に係止する手段を備えたことを特徴とする請求項１乃至３のいずれかに記載の表示装置。
【考案の詳細な説明】
【技術分野】
【０００１】
本考案は、立て看板、平面的な表示板、道路工事に関連する可視情報を表示する道路標示具等として利用することができるブロー成形による表示装置に関するものである。
【背景技術】
【０００２】
従来上記この種の表示装置は、一般に、可視情報を表示したシートないしは板状体を金属制の枠体に固定的に装着していた。
また、地上に自立させる形式の表示装置は、金属製の枠組みや合成樹脂製板材の組立によって形成した枠体の表面に、板材等の表示板を固定して使用しているのが一般的である。
【０００３】
一方、特開２００５−３２５５２号公報では、枠体に、前方突出部および引っ込み部を備えた外枠部と、繋ぎ部と、複数の開口部とを設けて、枠体をプラスチックでブロー成形する。前方突出部から内方に突出させた板止め部と引っ込み部との間に形成された間隙に情報担持板を抜き出し可能なように挿入することにより、枠体に対して情報担持板を着脱可能としたものが開示されている。
【０００４】
さらに、特開２０１７−１１０３７９号公報では、ブロー成形によって扁平な中空状に形成する本体は、表示物を配置する平板部の一端に脚などの下部構造を一体に成形し、本体の他端部には、対向させることによって連結可能な構造である連結部を形成し、前記本体の連結部に対向させることによって連結可能な構造の連結部を備えた上部構造物を連結した構成が開示されている。
そして、前記連結部は、横幅の左右いずれか一方の１/２の範囲であって、厚みの前後いずれか一方の１/２の範囲に係合突起を、横幅の左右いずれか他方の１/２の範囲であって、厚みの前後いずれか他方の１/２の範囲に、前記係合突起に係合する大きさの係合凹部を形成する構成としたものである。
【先行技術文献】
【特許文献】
【０００５】
【特許文献１】特開２００５−３２５５２号公報
【特許文献２】特開２０１７−１１０３７９号公報
【考案の概要】
【考案が解決しようとする課題】
【０００６】
上記特開２００５−３２５５２号公報では、表示板の耐用年数を長くすると共に、枠体に対して情報担持板を着脱可能として交換を容易としたものであり、特開２０１７−１１０３７９号公報では、掲示面の上下長さの変更を容易に対応できるようにしたものである。
【０００７】
上記従来の目的に対して本考案は、表示装置の共通の表示パネルを使用し、表示パネルの上下長さや横幅の異なる表示面を形成できることが可能な表示装置を提供せんとするものである。
【課題を解決するための手段】
【０００８】
本考案の請求項１の表示装置は、支持枠に表示パネル本体を着脱可能に当着して表示面を構成する表示装置において、長方形の表示パネル本体の裏面に、支持枠の両縦枠と等しい幅間隔で長辺方向と短辺方向の縦横位置に各縦枠に係合する溝条を備えたことを特徴とするものである。
【０００９】
本考案の請求項２の表示装置は、請求項１の考案において、溝条が表示パネル本体の上下端及び左右端にまで延伸して形成されていることを特徴とするものである。
【００１０】
本考案の請求項３の表示装置は、請求項１又は２の考案において、溝条の外側壁面で支持枠の縦枠を挟持する恰好で係合していることを特徴とする請求項１又は２に記載の表示装置ものである。
【００１１】
本考案の請求項４の表示装置は、請求項１乃至３のいずれかの考案において、表示パネル本体の表面に表示シートを着脱可能に係止する手段を備えたことを特徴とするものである。
【考案の効果】
【００１２】
本考案は、支持枠に表示パネル本体を着脱可能に当着して表示面を構成する表示装置において、長方形の表示パネル本体の裏面に、支持枠の左右の縦枠と等しい幅間隔で長辺方向と短辺方向の縦横位置に各縦枠に係合する溝条を備えているため、支持枠に対して、表示パネル本体を縦長方向に位置せしめれば短辺方向の溝条に係合して支持枠へ当着でき、又、表示パネル本体を横長方向に位置せしめれば長辺方向の溝条に係合して支持枠へ当着できることになる。
【００１３】
したがって、一枚の表示パネル本体を縦横に位置決めして対応する２種類の支持枠へ係合して当着できる効果を発揮する。
また、溝条が表示パネル本体の上下端及び左右端にまで延伸して形成されているため、支持枠に対して表示パネルの係合を、支持枠を越えた位置とすることも、中間部に位置させることも可能であり、複数枚の表示パネル本体を上下に連設して係合できる効果を有する。
【図面の簡単な説明】
【００１４】
【図１】本考案の一実施の形態を示す矩形の表示パネル本体の裏面図である。
【図２】表示パネル本体を縦長の位置で支持する支持枠の斜視図である。
【図３】表示パネル本体を横長の位置で支持する支持枠の斜視図である。
【図４】縦長の位置で使用する表示パネル本体の裏面図である。
【図５】横長の位置で使用する表示パネル本体の裏面図である。
【図６】表示パネル本体を縦長の位置で複数枚連設した状態の裏面図である。
【図７】表示パネル本体を横長の位置で複数枚連設した状態の裏面図である。
【図８】表示パネル本体の表面図である。
【図９】図８のＡ−Ａ線断面図である。
【図１０】図８のＢ−Ｂ線断面図である。
【考案を実施するための形態】
【００１５】
本考案の実施の形態を図面に基づいて説明する。
図１は本考案の一実施の形態を示す矩形の表示パネル本体１の裏面図である。
表示パネル本体１の裏面２は大まかに周囲より低い凹部と其の他の凸部で形成されており、凹部は底面が面一で特定の幅をもつ一直線の溝条であって、矩形の長辺１Ａ及び短辺１Ｂから平行に夫々短辺１Ｂの上下端、及び長辺１Ａの左右端まで形成されている。
【００１６】
すなわち、長辺１Ａと平行に縦溝条２Ａ、２Ａが後述の支持枠１１(図２)左右の両縦枠１１Ａ、１１Ａと等しい幅間隔で、長辺１Ａから等距離をおいて形成されている。
一方、短辺１Ｂと平行に横溝条２Ｂ、２Ｂが後述の支持枠１２（図３）の左右の縦枠１２Ａ、１２Ａと等しい幅間隔で、短辺１Ｂから等距離をおいて形成されている。
【００１７】
支持枠１１と支持枠１２は、表示パネル本体１を支持する左右の縦枠１１Ａ、１１Ａと縦枠１２Ａ、１２Ａの間隔に広狭の違いがあり、上端に連結杆１３、下部に連結杆１４が渡設され、また、中間部から補助脚１５、１５が支持枠１１、１２を稍後方へ傾斜させて立設維持すべく設けられている。
【００１８】
したがって、支持枠１１に対しては、表示パネル本体１を縦長の位置にして縦溝条２Ａ、２Ａを支持枠１１の左右の縦枠１１Ａ、１１Ａに係合して当着することによって一形態の自立する表示装置を構成できる。
また、支持枠１２に対しては、表示パネル本体１を横長の位置にして横溝条２Ｂ、２Ｂを支持枠１２の左右の縦枠１２Ａ、１２Ａに係合して当着することによって別形態の自立する表示装置を構成できる。
【００１９】
表示パネル本体１を縦長或いは横長の位置で使用する場合は、支持枠１１、１２の上端の連結杆１３に横溝条２Ｂまたは縦溝条２Ａを係合させることによって、支持枠１１、１２の上部を突出させることなく表示パネル本体１を支持できるため、安全上及び体裁上意義がある(図４、図５)。
また、前記溝条２Ａ、２Ｂが表示パネルの上下端及び左右端にまで延伸して形成されているため、複数枚の表示パネル本体１を下方に連設して係合して行くことも可能である(図６、図７)。
【００２０】
図面の実施の態様では、支持枠１１、１２の補助脚１５が縦枠１１Ａ、１２Ａの内側に連結されており、表示パネル本体１の溝条２Ａ、２Ｂとの干渉を避けるため、溝条２Ａ、２Ｂの内側面に余裕をもたせ、外側の壁面で支持枠１１、１２の縦枠１１Ａ、１２Ａに挟持する恰好で係合するようにしてある。
また、表示パネル本体１は耐久性と軽量化を図るため樹脂成形が好ましく、溝条２Ａ，２Ｂは周囲より低くして壁面を連続する同一高さで形成する必要は無く、平面上に並行な突条壁を非連続に直線上に形成して溝条を形成しても良い。
【００２１】
表示パネル本体１の表面３には、表示シート８を着脱可能に係止する段部４が形成され、表示シート８を係止する爪片５Ａ、５Ａ・・が前記段部４上に突出して備えられている。
また、短辺１Ｂの近傍にネジ孔６、６が設けてあり、爪片５Ｂをネジ止７して表示シート８を押さえて短辺側から抜け出るのを阻止している。(図８、図９、図１０)。
【００２２】
したがって、支持枠１１、１２に装着された表示パネル本体１の表面３の段部４に、適宜の表示シート８を爪片５Ａ、５Ａ・・下に挿通し、表示シート８の上下端部又は左右側端部を爪片５Ｂでネジ止７して止着することで表示装置を構成できるものであり、一つの表示パネル本体１と２種類の支持枠１１、１２で多様な表示面に対応できる表示装置を形成することができるのである。
【００２３】
以上のように、図面に基づいて本考案を説明した実施の形態における具体的構成は一例であり、同様の作用効果を得られる他の構成又は手段を排除するものではない。
【符号の説明】
【００２４】
１              表示パネル本体
１Ａ            長辺
１Ｂ            短辺
２              裏面
２Ａ，２Ｂ      溝条
３              表面
４              段部
５Ａ，５Ｂ      爪片
６              ネジ孔
７              ネジ止
８              表示シート
１１，１２      支持枠
１１Ａ，１２Ａ  縦枠
１３，１４      連結杆
１５            補助脚
【図１】
0003221269.tif 000003
【図２】
0003221269.tif 000004
【図３】
0003221269.tif 000005
【図４】
0003221269.tif 000006
【図５】
0003221269.tif 000007
【図６】
0003221269.tif 000008
【図７】
0003221269.tif 000009
【図８】
0003221269.tif 000010
【図９】
0003221269.tif 000011
【図１０】
0003221269.tif 000012